(57)【要約】【目的】本発明の目的は、白色、電球色の光を発光する安価な発光ダイオード素子を用いた照明器具を提供することを目的としている。【構成】本発明は、略筒状に形成された基板１００と、この基板１００の表面に実装された赤色、青緑色発光ダイオード素子と２１０、２２０と、この発光ダイオード素子２１０、２２０からそれぞれ発せられる光を反射する反射部材３００とを具備しており、赤色発光ダイオード素子２１０はピーク発光波長が６３０ｎｍの波長で発光する素材で構成されている一方、青緑色発光ダイオード素子２２０はピーク発光波長が４９５〜５００ｎｍ又は４９０〜４９５の波長で発光する素材で構成されている。【選択図】      図１
2004235096.tif 000002
【特許請求の範囲】
【請求項１】
赤色、青緑色発光ダイオード素子の組み合わせが光源として用いられた照明器具あって、前記赤色発光ダイオード素子のピーク発光波長は６３０ｎｍである一方、前記青緑色発光ダイオード素子のピーク発光波長は４９５〜５００ｎｍであることを特徴とする発光ダイオード素子を用いた照明器具。
【請求項２】
赤色、青緑色発光ダイオード素子の組み合わせが光源として用いられた照明器具、前記赤色発光ダイオード素子のピーク発光波長は６３０ｎｍである一方、前記青緑色発光ダイオード素子のピーク発光波長は４９０〜４９５ｎｍであることを特徴とする発光ダイオード素子を用いた照明器具。
【発明の詳細な説明】
【０００１】
【発明の属する技術分野】
本発明は発光ダイオード素子を用いた照明器具に関する。
【０００２】
【従来の技術】
この種の照明器具は、従来、赤色、緑色、青色の３原色の発光ダイオード素子からの光を混色して白色の光を発する構成となっている（  特許文献１参照）  。
【０００３】
また、前記照明器具は、３原色の発光ダイオード素子を用いて白色光よりも暖色系の電球色の光を発する構成となっているものもある。
【０００４】
【特許文献１】
特開２００１−１８４７９１０号
【０００５】
【発明が解決しようとする課題】
しかしながら、前記照明器具は、３種類の発光ダイオード素子が必要であるため、低コスト化を図ることができない。
【０００６】
本発明は上記事情に鑑みて創案されたものであって、白色、電球色の光を発光する安価な発光ダイオード素子を用いた照明器具を提供することを目的としている。
【０００７】
【課題を解決するための手段】
以上のような課題を解決するために、本発明の発光ダイオード素子を用いた照明器具は、赤色、青緑色発光ダイオード素子の組み合わせが光源として用いられた照明器具、前記赤色発光ダイオード素子のピーク発光波長は６３０ｎｍである一方、前記青緑色発光ダイオード素子のピーク発光波長は４９０〜４９５ｎｍであることを特徴としている。
【０００８】
本発明の別の発光ダイオード素子を用いた照明器具は、赤色、青緑色発光ダイオード素子の組み合わせが光源として用いられた照明器具、前記赤色発光ダイオード素子のピーク発光波長は６３０ｎｍである一方、前記青緑色発光ダイオード素子のピーク発光波長は４９０〜４９５ｎｍであることを特徴としている。
【０００９】
【発明の実施の形態】
以下、本発明の実施の形態に係る照明器具を図面を参照しながら説明する。図１は本発明の実施の形態に係る照明器具の概略的斜視図、図２は同照明器具に用いられる基板の概略的分解斜視図、図３は同照明器具の概略的断面図、図４は同照明器具の設計変更例を示す概略的斜視図、図５は同照明器具の設計変更例を示す概略的斜視図である。
【００１０】
ここに掲げる発光ダイオード素子を用いた照明器具Ａは、赤色、青緑色発光ダイオード素子２１０、２２０の組み合わせが光源として用いられた照明器具あって、略筒状に形成された基板１００と、この基板１００の表面に実装された赤色、青緑色発光ダイオード素子と２１０、２２０と、この発光ダイオード素子２１０、２２０からそれぞれ発せられる光を混色し反射する反射部材３００とを具備している。以下、各部を詳しく説明する。
【００１１】
基板１００は、中央に開口１１１が開設された六角形状の下側基板１１０と、同様の上側基板１２０と、６枚の矩形状の実装用基板１３０とから構成されている。実装用基板１３０が六角筒状に組み合わせられ、その上端には上側基板１２０が、下端には下側基板１１０がそれぞれ取り付けられている。
【００１２】
実装用基板１３０には、赤色の光を発する３つの赤色発光ダイオード素子２１０と、青緑色の光を発する３つの青緑色発光ダイオード素子２２０とが２列３段にわたって実装されている。しかも、赤色発光ダイオード素子２１０と青緑色発光ダイオード素子２２０とは交互に実装されている。このため、反射部材３００の反射面３１０で赤色の光と青緑色の光とが混ざりやすくなっている。また、この赤色発光ダイオード素子２１０と青緑色発光ダイオード素子２２０とは、各列毎に直列に接続されている。
【００１３】
上側基板１２０には、各実装用基板１３０の上端側に実装された赤色発光ダイオード素子２１０と、青緑色発光ダイオード素子２２０とを接続するための配線パターン（図示省略）が形成されている。一方、下側基板１１０には、実装用基板１３０の下端側に実装された赤色発光ダイオード素子２１０、青緑色発光ダイオード素子２２０に各々接続される合計１２本のピン１１２が実装されている。
【００１４】
かかる基板１００は、電源回路等の必要な回路（図示省略）が形成された回路用基板４００に設けられたコネクタ４１０に着脱可能に取り付けられるようになっている。具体的には、基板１００のピン１１２をコネクタ４１０に挿入することによって、基板１００が回路用基板４００に着脱可能に取り付けられるのである。
【００１５】
なお、基板１００は、上側基板１２０と下側基板１１０とにそれぞれ開口１２１、１１１が開設されている。このため、実装用基板１３０の裏側において空気の流通が確保されるので、放熱効率に優れている。
【００１６】
反射部材３００は、略お碗状に形成されている。かかる反射部材３００には、回路用基板４００に取り付けられた基板１００が外側から内側に向かって挿入可能な開口３２０が中央に設けられている。この反射部材３００の内側の反射面３１０は、適宜な凹凸（図示省略）が形成され且つ梨地処理が施されており、赤色発光ダイオード素子２１０から発せられた光赤色の光と、青緑色発光ダイオード素子２２０から発せられた青緑色の光とを混色して前方に向かって反射するように構成されている。
【００１７】
赤色発光ダイオード素子２１０はピーク発光波長が６３０ｎｍの赤色の光を発する素材のものである。このとき、青緑色発光ダイオード素子２２０はピーク発光波長が４９５〜５００ｎｍの青緑色の光を発する素材のものを使用する。赤色発光ダイオード素子２１０から発せられたピーク発光波長が６３０ｎｍの光赤色の光と、青緑色発光ダイオード素子２２０から発せられたピーク発光波長が４９５〜５００ｎｍの青緑色の光とを反射部材３００の反射面３１０で反射させると、白色の光を得ることができる。
【００１８】
一方、青緑色発光ダイオード素子２２０はピーク発光波長が４９０〜４９５ｎｍの青緑色の光を発する素材のものを使用する。赤色発光ダイオード素子２１０から発せられたピーク発光波長が６３０ｎｍの光赤色の光と、青緑色発光ダイオード素子２２０から発せられたピーク発光波長が４９０〜４９５ｎｍの青緑色の光とを反射部材３００の反射面３１０で反射させると、電球色の光を得ることができる。これが本願発明の特徴部分である。
【００１９】
このように構成した発光ダイオード素子を用いた照明器具Ａによる場合、赤色発光ダイオード素子２１０、青緑色発光ダイオード素子２２０の２種類の発光ダイオード素子で、白色や電球色の光を得ることができる。従って、従来例と比べて発光ダイオード素子を一種類少なくすることができるので、低コスト化を図ることができる。また、赤色発光ダイオード素子２１０の波長を一定とする一方、青緑色発光ダイオード素子２２０の波長を変えるだけで簡単に白色や電球色の光を得ることができる。なお、以下のように設計変更することが可能である。
【００２０】
また、上述した照明器具Ａでは、赤色発光ダイオード素子２１０と青緑発光ダイオード素子２２０とを、１つの実装用基板１３０に２列３段の合計６個実装したが、３列２段や図４に示すような１列６段の実装でもよい。
【００２１】
さらに、図５に示すように、６枚の実装用基板１３０を六角筒状に組み合わせたものの内側にアルミニウム等からなる心棒１５０を挿入するようにしてもよい。この場合には、心棒１５０を電極及び冷却用の媒体として利用することができる。従って、上側基板１２０は、前記心棒１５０が六角筒状に組み合わせられた実装用基板１３０から抜け落ちないようにするための役目も持っている。また、上側基板１２０及び下側基板１１０は、図５に示すように、キャップ型になっていてもよい。かかる場合にはアルミニウム等からなる心棒１５０は、反射部材３００や筐体に接続することで、発光ダイオード素子２００の熱を効率良く発散させることができ、また、高温による光出力の減少を低減できるメリットがある。
【００２２】
また、上述した実施の形態では、基板１００は６枚の実装用基板１３０を有するとしたが、３枚以上５枚以下或いは７枚以上であってもよいことは勿論である。
【００２３】
なお、照明器具Ａでは、赤色、青緑色発光ダイオード素子２１０、２２０が略筒状に形成された基板１００に実装されるとしたが、平板状の基板に実装するように設計変更することが可能である。このように設計変更した場合、導光板を設け、赤色、青緑色発光ダイオード素子２１０、２２０の光を前記導光板で混色し均一に面発光させるようにすると良い。また、導光板を設けず、赤色、青緑色発光ダイオード素子２１０、２２０を所定の照射角度で混色されるように配置しても良い。
【００２４】
【発明の効果】
以上のように、本発明の請求項１の発光ダイオード素子を用いた照明器具は、赤色、青緑色発光ダイオード素子の組み合わせが光源として用いられた照明器具あって、前記赤色発光ダイオード素子のピーク発光波長は６３０ｎｍである一方、前記青緑色発光ダイオード素子のピーク発光波長は４９５〜５００ｎｍであることを特徴と。
【００２５】
このような請求項１の発光ダイオード素子を用いた照明器具による場合、２種類の赤色、青緑色発光ダイオード素子で白色の光を得ることができるので、従来例と比べて発光ダイオード素子を１種類少なくすることができ、その結果として、低コスト化を図ることができる。
【００２６】
また、本発明の請求項２の発光ダイオード素子を用いた照明器具は、赤色、青緑色発光ダイオード素子の組み合わせが光源として用いられた照明器具、前記赤色発光ダイオード素子のピーク発光波長は６３０ｎｍである一方、前記青緑色発光ダイオード素子のピーク発光波長は４９０〜４９５ｎｍであることを特徴としている。
【００２７】
このような請求項２の発光ダイオード素子を用いた照明器具による場合、２種類の赤色、青緑色発光ダイオード素子で電球色の光を得ることができるので、従来例と比べて発光ダイオード素子を１種類少なくすることができ、その結果として、低コスト化を図ることができる。
【図面の簡単な説明】
【図１】本発明の実施の形態に係る照明器具の概略的斜視図である。
【図２】同照明器具に用いられる基板の概略的分解斜視図である。
【図３】同照明器具の概略的断面図である。
【図４】同照明器具の設計変更例を示す概略的斜視図である。
【図５】同照明器具の設計変更例を示す概略的斜視図である。
【符号の説明】
Ａ      照明器具
１００  基板
２１０  赤色発光ダイオード素子
２２０  青緑色発光ダイオード素子
３００  反射部材
【図１】
2004235096.tif 000003
【図２】
2004235096.tif 000004
【図３】
2004235096.tif 000005
【図４】
2004235096.tif 000006
【図５】
2004235096.tif 000007